(57)【要約】【課題】家具が地震や人為因素による倒れることを防止できる家具倒れ防止可能の支持棒構造を提供する。【解決手段】主として、伸縮管と、微調整ベースと、弾性抵当ベースとが含有され、当該伸縮管は、伸縮管を調節して位置付けるための調節部品があり、その両端に、それぞれ、微調整ベースと弾性抵当ベースとが設けられ、当該支持棒を家具と天井との間に支持する。【選択図】図１
0003123509.tif 000002
【実用新案登録請求の範囲】
【請求項１】
主として、伸縮管と、微調整ベースと、弾性抵当ベースと、が含有され、
当該伸縮管に、伸縮管を調節して位置付けるための調節部品があり、当該微調整ベースが、伸縮管の一端に設けられ、軸合された抵当部品と嵌合部品とからなり、
当該弾性抵当ベースが、伸縮管のもう一端に設けられ、また、伸縮管が嵌設されるための、弾性部品により嵌合部品と封止抵当部品との間に収納されて位置付けられる嵌合スリーブがある、
ことを特徴とする家具倒れ防止可能の支持棒構造。
【請求項２】
当該微調整ベースは、抵当部品の中央に、嵌合部品と軸合するための軸合穴が形成され、当該嵌合部品の一端が、閉鎖され、その外縁の中央に、抵当部品の軸合穴と軸合するための軸合部品が形成され、その内縁の中央に、ネジ杆が結合されることを特徴とする請求項１に記載の家具倒れ防止可能の支持棒構造。
【請求項３】
当該弾性抵当ベースの嵌合スリーブは、底部が閉鎖状である収納層であり、外側の上部のやや半分に、若干の歯状突出が設けられ、当該嵌合部品は、嵌合スリーブが収納される中空管体であり、一端に、抵当突出が形成され、もう一端に、外拡状の抵当縁が形成され、当該抵当縁において、内管の壁に、四つの当分に配置される貫通槽が形成され、当該抵当縁の端面に、環状凹槽が形成され、当該封止抵当部品が、嵌合部品の抵当縁底の端面にある当該環状凹槽に収納され、また、当該当該封止抵当部品の外縁に、嵌合部品の抵当縁の貫通槽に対応する係合フックが形成されることを特徴とする請求項１に記載の家具倒れ防止可能の支持棒構造。
【請求項４】
当該弾性抵当ベースの弾性部品は、圧縮バネであることを特徴とする請求項１に記載の家具倒れ防止可能の支持棒構造。
【請求項５】
当該微調整ベースと弾性抵当ベースとの端面に、滑り止めパッドが設けられることを特徴とする請求項１に記載の家具倒れ防止可能の支持棒構造。
【考案の詳細な説明】
【技術分野】
【０００１】
本考案は、支持棒に関し、特に、家具倒れ防止可能の支持棒構造に関する。
【背景技術】
【０００２】
一般の、固定式ではない移動可能の家具は、例えば、洋服だんすや収納箪笥などであり、その上端から天井まで、一定の距離があり、最近、地震が多発で、家具が地震により人に傷つける事件も少なくなく、また、例えば、子供が遊ぶ時、不意に箪笥を倒れたりすることも少なくないため、家具の倒れによる傷付く恐れがある。
【考案の開示】
【考案が解決しようとする課題】
【０００３】
本考案の目的は、当該支持棒を家具と天井との間に支持することにより、家具が地震や人為因素により倒れることを防止できる家具倒れ防止可能の支持棒構造を提供する。
【課題を解決するための手段】
【０００４】
請求項１の考案は、主として、伸縮管と、微調整ベースと、弾性抵当ベースと、が含有され、当該伸縮管に、伸縮管を調節して位置付けるための調節部品があり、当該微調整ベースが、伸縮管の一端に設けられ、軸合された抵当部品と嵌合部品とからなり、当該弾性抵当ベースが、伸縮管のもう一端に設けられ、また、伸縮管が嵌設されるための、弾性部品により嵌合部品と封止抵当部品との間に収納されて位置付けられる嵌合スリーブがある、ことを特徴とする家具倒れ防止可能の支持棒構造である。
【０００５】
請求項２の考案は、当該微調整ベースにおいて、抵当部品の中央に、嵌合部品と軸合するための軸合穴が形成され、当該嵌合部品の一端が、閉鎖され、その外縁の中央に、抵当部品の軸合穴と軸合するための軸合部品が形成され、その内縁の中央に、ネジ杆が結合されることを特徴とする請求項１に記載の家具倒れ防止可能の支持棒構造である。
【０００６】
請求項３の考案は、当該弾性抵当ベースの嵌合スリーブが、底部が閉鎖状である収納層であり、外側の上部のやや半分に、若干の歯状突出が設けられ、当該嵌合部品が、嵌合スリーブが収納される中空管体であり、一端に、抵当突出が形成され、もう一端に、外拡状の抵当縁が形成され、当該抵当縁において、内管の壁に、四つの当分に配置される貫通槽が形成され、当該抵当縁の端面に、環状凹槽が形成され、当該封止抵当部品が、嵌合部品の抵当縁底の端面にある当該環状凹槽に収納され、また、当該当該封止抵当部品の外縁に、嵌合部品の抵当縁の貫通槽に対応する係合フックが形成されることを特徴とする請求項１に記載の家具倒れ防止可能の支持棒構造である。
【０００７】
請求項４の考案は、当該弾性抵当ベースの弾性部品が、圧縮バネであることを特徴とする請求項１に記載の家具倒れ防止可能の支持棒構造である。
【０００８】
請求項５の考案は、当該微調整ベースと弾性抵当ベースとの端面に、滑り止めパッドが設けられることを特徴とする請求項１に記載の家具倒れ防止可能の支持棒構造である。
【考案を実施するための最良の形態】
【０００９】
本考案は、図１乃至４を参照しながら、家具の倒れを防止するための支持棒構造のより良い実施例であり、当該支持棒Aは、主として、伸縮管１０と、微調整ベース２０と、弾性抵当ベース３０とが含有される。
【００１０】
当該伸縮管１０は、当該伸縮管１０を調節して位置付けるための調節部品１１があり、本実施例において、当該調節部品１１は、伸縮管１０の内、外管１２、１３の挿接端に嵌設されたスリーブ１１０と、つまみ１１１とからなり、当該スリーブ１１０に螺着された当該つまみ１１１を締めることにより、内管１２が圧迫されて位置付けられ、また、当該つまみ１１１を弛むことにより、内管１２の出される長さが調整される。
【００１１】
当該微調整ベース２０は、伸縮管１０の一端に設けられ、本実施例において、当該微調整ベース２０は、伸縮管１０の外管１３に設けられ、軸合される抵当部品２１と嵌合部品２２とからなり、当該抵当部品２１は、外側の表面に、滑り止めパッド２３が設けられ、中央に、嵌合部品２２と軸合するための軸合穴２１０が形成され、当該嵌合部品２２は、一端が、閉鎖され、その外縁の中央に、抵当部品２１の軸合穴２１０と軸合するための軸合部品２２０が形成され、その内縁の中央に、ネジ杆２２１が設けられ、当該ネジ杆２２１と伸縮管１０の外管１３の中にあるテーパねじプラグ１３０とが螺合することにより、当該微調整ベース２０が、伸縮管１０の外管１３に螺合される時、嵌合部品２２を回転して、外管１３と螺合する抵当部品２１を上下へ移動させることにより、微調整することができる。
【００１２】
当該弾性抵当ベース３０は、伸縮管１０のもう一端に設けられ、本実施例において、当該弾性抵当ベース３０は、伸縮管１０の内管１２に設けられ、内管１２が嵌合される嵌合スリーブ３１と、弾性部品３２とが、嵌合部品３３と封止抵当部品３４との間に位置し、当該嵌合スリーブ３１は、底部が閉鎖状である収納層３１０であり、外側の上部のやや半分に、若干の歯状突出３１１が設けられ、当該歯状突出３１１が、嵌合部品３３に嵌合し、歯状突出３１１が形成していない一端が、嵌合部品３３から露出し、当該嵌合部品３３は、嵌合スリーブ３１を収納できる中空の管体であり、一端に、嵌合スリーブ３１の歯状突出３１１を抵当するための抵当突出３３０が形成され、もう一端に、外拡状の抵当縁３３１が形成され、当該抵当縁３３１において、内管１２の壁に、四つの等分に配置される貫通槽３３２が形成され、また、当該抵当縁３３１の端面に、環状凹槽３３３が形成され、当該環状凹槽３３３が、当該貫通槽３３２に重ね合うため、貫通槽３３２の底部に階段状になり、また、当該封止抵当部品３４は、その外縁に、嵌合部品３３の抵当縁３３１に係合するための抵当縁３３１の貫通槽３３２に対応する係合フック３４０が形成されるため、嵌合部品３３の抵当縁３３１の環状凹槽３３３に係合することができ、また、当該封止抵当部品３４と嵌合スリーブ３１との間に、圧縮バネである弾性部品３２が配置され、当該弾性部品３２により、正常状態である当該嵌合スリーブ３１に、圧縮の弾力が印加され、また、当該弾性抵当ベース３０の封止抵当部品３４の中心に、収納槽３４１が形成され、弾性抵当ベース３０により抵当強度を与えるための滑り止めパッド３５は、そこに嵌合される。
【００１３】
図５を参照しながら、弾性抵当ベース３０に外力(例えば、地震)が印加される時、弾性部品３２により、当該嵌合スリーブ３１に圧縮の弾力が生成する。
【００１４】
本考案は、図２を参照しながら、伸縮管１０の弾性抵当ベース３０のもう一端に１組の微調整ベース２０が設けられ、当該微調整ベース２０の抵当部品２１が、嵌合部品２２と軸合し、また、当該嵌合部品２２が、伸縮管１０と螺合するため、抵当部品２１が抵当して移動しない時、嵌合部品２２を回転することにより微調整ベース２０を移動させ、これにより、本考案の支持棒Aを固定する時、まず、支持棒Aを、所定の位置に位置付け、図６と７のように、二つの支持棒Aが、それぞれ、箪笥Bの両側に配置され、側面図から見れば、二つの支持棒Aが、壁に沿って立て、そして、伸縮桿１０の微調整ベース２０と弾性抵当ベース３０とを、それぞれ、箪笥Bと天井Cに抵当するようにしてから、締めて固定し、この時、人力だけでは、支持棒Aの両端が強く支持することができないから、上記の微調整ベース２０の設計により、伸縮管１０の伸縮長度が調整でき、より強く支持効果が得られる。
【図面の簡単な説明】
【００１５】
【図１】本考案の外観立体図
【図２】本考案の組立ての断面概念図
【図３】本考案の弾性抵当ベースの立体分解図
【図４】本考案の弾性抵当ベースの作動前の断面図
【図５】本考案の弾性抵当ベースの作動概念図
【図６】本考案のより良い実施例の配置の正面図
【図７】本考案のより良い実施例の配置の側面図
【符号の説明】
【００１６】
１０          伸縮管
１１          調節部品
１１０        スリーブ
１１１        つまみ
１２          内管
１３          外管
１３０        テーパねじプラグ
２０          微調整ベース
２１          抵当部品
２１０        軸合穴
２２          嵌合部品
２２０        軸合部品
２２１        ネジ杆
２３          滑り止めパッド
３０          弾性抵当ベース
３１          嵌合スリーブ
３１０        収納層
３１１        歯状突出
３２          弾性部品
３３          嵌合部品
３３０        抵当突出
３３１        抵当縁
３３２        貫通槽
３３３        環状凹槽
３４          封止抵当部品
３４０        係合フック
３４１        収納槽
３５          滑り止めパッド
A             支持棒
B             箪笥
C             天井
【図１】
0003123509.tif 000003
【図２】
0003123509.tif 000004
【図３】
0003123509.tif 000005
【図４】
0003123509.tif 000006
【図５】
0003123509.tif 000007
【図６】
0003123509.tif 000008
【図７】
0003123509.tif 000009